(57)【要約】【課題】レンズ前面を覆う位置と開放する位置との間を手動で開閉可能なバリアを有するカメラにおいて、バリアが開放されてからカメラが起動するまでのタイムラグを小さくすることを目的とする。【解決手段】バリア閉位置と開位置との間で出力が切り替わる第１の出スイッチと、バリア開位置を検出する第２の検出スイッチを持ち、第１の検出スイッチの切り替わりを検出すると、主電源の投入およびメモリの検知を行い、第２の検出スイッチの切り替わりを検出すると、鏡筒の繰り出しを行うよう構成する。これによって、使用者がバリアを開放してから鏡筒が繰り出し始めるまでのタイムラグをほとんど感じなくなる。【選択図】      図１
2004173100.tif 000002
【特許請求の範囲】
【請求項１】
使用可能な位置と収納位置との間を光軸方向に移動可能な撮影レンズと、
前記撮影レンズ前面を覆う閉位置と撮影レンズ前面を開放する開位置との間でカメラ本体に対してスライドまたは回転等が可能なバリア部材とを有するカメラであって、
前記カメラはさらに、前記バリア部材が前記閉位置から前記開位置に至る途上において出力の切替わる第一検出手段と、
前記バリア部材が前記開位置にあることを検出する第二検出手段と、
前記カメラの制御を行なう制御手段とを有し、
使用者が閉位置にある前記バリアを操作することによって前記第一検出手段の出力の切替わりを検出すると前記制御手段はカメラの初期化動作を行い、前記第二検出手段の出力が前記バリアの開位置を検出すると前記撮影レンズの使用可能位置への駆動を開始するよう構成されたことを特徴とする撮像装置。
【請求項２】
前記第１項記載の撮像装置はさらに電源および電源回路とを有し、
前記初期化動作には、前記制御手段に前記電源回路から電源供給を開始することを含む撮像装置。
【請求項３】
前記第１項または第２項記載の撮像装置はさらに外部記憶メモリを装着可能であり、
前記初期化動作には、前記制御手段が前記外部記憶メモリの状態を検知することを含む、前記第１項または第２項記載の撮像装置。
【発明の詳細な説明】
【０００１】
【発明の属する技術分野】
本発明は、撮影レンズ前面を覆う閉位置と撮影レンズ前面を開放する開位置との間で移動可能なバリア部材を有する撮像装置に関する。
【０００２】
【従来の技術】
従来より撮影レンズ前面を覆う閉位置と撮影レンズ前面を開放する開位置との間で移動可能なバリア部材を有するカメラが知られている。
特に使用者が手動でバリア部材を動かして前記閉位置から開位置へ動かすよう構成されているものは、通常バリア部材が開位置に達した事を検出することでカメラへの電源が投入され、撮影レンズが撮影可能位置まで駆動されて撮影準備が完了するようになっている。
【０００３】
【発明が解決しようとする課題】
こうしたカメラの起動シーケンスにおいて、前記バリア開位置が検出されると、まず制御部に主電源の供給が開始されるが、制御部が動作可能な安定した電源が供給されるようになるまでにはどうしてもある程度の時間がかかる。
【０００４】
また、デジタルカメラのような外部記憶メモリが装着されるようなものでは、装着されたメモリの状態を検知しなければならず、この作業にもある程度の時間が必要とされる。特に大容量のメモリが装着されている時には検知作業にもそれに応じた時間がかかっている。
【０００５】
こうした電源の起動とメモリの検知を経た後に制御部が撮影可能と判断して、やっと撮影レンズの駆動が可能となり撮影準備が整う事になる。
【０００６】
このように、バリアを開放してからカメラが起動するまでのタイムラグが、使用者に対して不要なストレスを感じさせたり、あるいはシャッタチャンスを逃す事にもつながっている。
【０００７】
【課題を解決するための手段】
本発明の請求項１によれば、使用可能な位置と収納位置との間を光軸方向に移動可能な撮影レンズと、前記撮影レンズ前面を覆う閉位置と撮影レンズ前面を開放する開位置との間でカメラ本体に対してスライドまたは回転等が可能なバリア部材とを有するカメラであって、前記カメラはさらに、前記バリア部材が前記閉位置から前記開位置に至る途上において出力の切替わる第一検出手段と、前記バリア部材が前記開位置にあることを検出する第二検出手段と、前記カメラの制御を行なう制御手段とを有し、使用者が閉位置にある前記バリアを操作することによって前記第一検出手段の出力の切替わりを検出すると前記制御手段はカメラの初期化動作を行い、前記第二検出手段の出力が前記バリアの開位置を検出すると前記撮影レンズの使用可能位置への駆動を開始するよう構成することで、バリアを開放してからカメラが起動するまでのタイムラグを少なくすることが出来、使用者が不要なストレスを感じたり、あるいはシャッタチャンスを逃したりすることのない撮像装置を提供するものである。
【０００８】
また、本発明の請求項２によれば、前記第１項記載の撮像装置はさらに電源および電源回路とを有し、前記初期化動作には、前記制御手段に前記電源回路から電源供給を開始することを含むよう構成することで、制御手段をすばやく起動することができ、次に続く前記第二検出手段の出力に対し遅れることなく前記レンズの駆動を開始できる撮像装置を提供するものである。
【０００９】
また、本発明の請求項３によれば、前記第１項または第２項記載の撮像装置はさらに外部記憶メモリを装着可能であり、前記初期化動作には、前記制御手段が前記外部記憶メモリの状態を検知することを含むよう構成することで、容量の大きな外部記憶メモリを装着しても使用者がタイムラグを感じない撮像装置を提供するものである。
【００１０】
【発明の実施の形態】
図１は本発明の実施例を示すカメラ本体の外観図である。
【００１１】
カメラ本体１には使用者が手動で動かせるバリア２が設けられており、ガイド溝１ａに沿ってスライド可能に構成されている。また、バリア２の内側には検出片２ａが設けられている。
【００１２】
３はレンズ鏡筒で、図１（ｂ）のようにバリア２が本体１の開口部１ｂから退避した位置にあるときに繰り出され、カメラ使用可能な状態になる。
【００１３】
バリア２が図１（ａ）のように開口部１ｂの前面を覆う位置にあるときは鏡筒３は沈胴位置に繰り込まれ非使用状態となる。
【００１４】
図２は前記バリア２の位置検出を示す図で、第１検出スイッチ４はバリア２が閉じきっている非使用状態で検出片２ａが当接してＯＮ状態になるよう配置され（図２（ａ））、第２検出スイッチ５はバリア２が開放位置にある使用可能状態で検出片２ａが当接してＯＮ状態になるよう配置されている（図２（ｂ））。
【００１５】
図３は本発明を実施したカメラの電気的な結合を示すブロック図である。
【００１６】
レンズ鏡筒３には、レンズ６およびそれを駆動するアクチュエータ７が設けられるとともに、結像位置に撮像素子８が配置されている。
【００１７】
９は前記アクチュエータ７を駆動する駆動回路、１０は撮像素子８の信号に対して色変換、ガンマ処理などの所定の処理をする処理部、１１は処理部１０から出力された画像情報などを格納する着脱可能なメモリで、いずれも電源回路１２から給電されるとともに制御部１３により制御される。
【００１８】
電源回路１２は、電源１４からの電力を上記各ユニットおよび前記制御部１３に必要な電圧または電流に変換して供給する。また、その供給についての指令を前記制御部１３より受ける。
【００１９】
以上のような構成のカメラにおける、特に起動時のシーケンスについて以下に説明する（図４）。
【００２０】
図１（ａ）および図２（ａ）に示すバリアの閉じられた状態が初期状態で、カメラとしては電源が入っていない状態である。このとき制御部１３には、検出スイッチ４，５を含む操作部材の認識に必要な部分だけが働いており、その他の部分は休眠状態にある。電源回路１２から前記制御部１３へはそのために最低限必要な微弱電流のみが供給されている（Ｓ１０１）。
【００２１】
使用者がバリア２を開放側へ移動させて第１検出スイッチ４の出力が切り替わると（Ｓ１０２）、制御部１３からの指令を受けて電源回路１２から制御部１３およびメモリ１１に主電源の供給が開始される（Ｓ１０３）。
【００２２】
電源が安定するまでの所定時間経過後（Ｓ１０４）に、制御部１３はメモリ１１の容量や既に書き込まれているファイルの有無などの状態をチェックする（Ｓ１０５）。装てんされたメモリ１１の容量が大きい場合には、このチェックに若干の時間を要する。
【００２３】
次に第２検出スイッチの状態をチェックし（Ｓ１０６）、バリア２が完全に開放位置に達していることを検出している場合には、駆動回路９を介してレンズ鏡筒３を図１（ｂ）に示す撮影可能位置まで駆動して（Ｓ１０７）、撮影準備完了状態に達する（Ｓ１０８）。
【００２４】
このように、使用者がバリアを操作している間に主電源の投入およびメモリ状態のチェックを行うことができるため、使用者にとってはバリアを開放位置まで操作してからタイムラグを感じることなく鏡筒が繰り出されることになる。
【００２５】
また、前記Ｓ１０６での第２検出スイッチのチェックにおいて、バリア２が開放位置に達していなければ再度第１検出スイッチのチェックを行い（Ｓ１０９）、バリア２が閉じきり位置に戻されているのを検出した場合には、電源回路１２から制御部１３およびメモリ１１の主電源供給を停止し（Ｓ１１０）、初期状態に戻る。
【００２６】
【発明の効果】
以上説明してきたように、本発明の請求項１では、使用可能な位置と収納位置との間を光軸方向に移動可能な撮影レンズと、前記撮影レンズ前面を覆う閉位置と撮影レンズ前面を開放する開位置との間でカメラ本体に対してスライドまたは回転等が可能なバリア部材とを有するカメラであって、前記カメラはさらに、前記バリア部材が前記閉位置から前記開位置に至る途上において出力の切替わる第一検出手段と、前記バリア部材が前記開位置にあることを検出する第二検出手段と、前記カメラの制御を行なう制御手段とを有し、使用者が閉位置にある前記バリアを操作することによって前記第一検出手段の出力の切替わりを検出すると前記制御手段はカメラの初期化動作を行い、前記第二検出手段の出力が前記バリアの開位置を検出すると前記撮影レンズの使用可能位置への駆動を開始するよう構成することで、バリアを開放してからカメラが起動するまでのタイムラグを少なくすることが出来、使用者が不要なストレスを感じたり、あるいはシャッタチャンスを逃したりすることのない撮像装置を提供することができる。
【００２７】
また、本発明の請求項２によれば、前記第１項記載の撮像装置はさらに電源および電源回路とを有し、前記初期化動作には、前記制御手段に前記電源回路から電源供給を開始することを含むよう構成することで、制御手段をすばやく起動することができ、次に続く前記第二検出手段の出力に対し遅れることなく前記レンズの駆動を開始することができる。
【００２８】
また、本発明の請求項３によれば、前記第１項または第２項記載の撮像装置はさらに外部記憶メモリを装着可能であり、前記初期化動作には、前記制御手段が前記外部記憶メモリの状態を検知することを含むよう構成することで、容量の大きな外部記憶メモリを装着しても使用者がタイムラグを感じない撮像装置を提供することができる。
【図面の簡単な説明】
【図１】本発明の実施例を示すカメラ本体の外観図である。
【図２】前記実施例のバリアの位置検出を示す図である。
【図３】前記実施例のカメラの電気的な結合を示すブロック図である。
【図４】前記実施例の起動時のシーケンスを示すフローチャートである。
【符号の説明】
１  カメラ本体
２  バリア
４  第１検出スイッチ
５  第２検出スイッチ
１１  メモリ
１２  電源回路
１３  制御部
【図１】
2004173100.tif 000003
【図２】
2004173100.tif 000004
【図３】
2004173100.tif 000005
【図４】
2004173100.tif 000006